(57)【要約】【課題】  本発明は、発信前に通信相手の状態を把握してから発信を行うことができる通信端末を提供する。【解決手段】  状態登録手段２１１が自機に関する状態情報を事前に登録し、状態通知手段２１２が所定の通信相手にこの状態情報を通知する。また、状態登録手段２１１は、所定の通信相手から通知されたその通信相手の状態情報をＲＡＭに記憶しておく。【選択図】  図２
2010045817.tif 000002
【特許請求の範囲】
【請求項１】
通信相手と情報を送受信する通信手段と、
自端末の状態に関する情報を記憶する記憶手段と、
自端末の状態に関する情報と関連付けて自端末の状態に関する情報を変更する時刻を設
定し、設定された時刻になれば、前記記憶手段に記憶された自端末の状態に関する情報を
変更する状態設定制御手段と、
前記記憶手段に記憶された自端末の状態に関する情報が変更された場合に、前記通信手
段によって自端末の状態に関する情報が変更されたことを通信相手に通知する通知制御手
段とを有することを特徴とする通信端末。
【請求項２】
操作入力を受け付ける操作手段を更に有し、前記状態設定手段は前記操作手段によって
入力された文字列を前記自端末の状態に関する情報として設定可能であることを特徴とす
る請求項１に記載の通信端末。
【請求項３】
通信相手と情報を無線通信する通信手段と、
情報を表示する表示手段と、
自端末の状態に関する情報を記憶する記憶手段と、
所定の通信相手の識別情報を登録する登録手段と、
自端末の状態に関する情報と関連付けて自端末の状態に関する情報を変更する時刻を設
定し、設定された時刻になれば、前記記憶手段に記憶された自端末の状態に関する情報を
変更する状態設定制御手段と、
前記記憶手段に記憶された自端末の状態に関する情報が変更された場合に、前記通信手
段によって自端末の状態に関する情報が変更されたことを通信相手に通知する通知制御手
段と、
前記登録手段によって登録された所定の通信相手から送信された状態に関する情報は表
示し、前記登録手段によって登録されていない通信相手から状態に関する情報は表示させ
ない表示制御手段とを有することを特徴とする通信端末。
【発明の詳細な説明】
【技術分野】
【０００１】
本発明は、例えば、移動無線機などの通信機能を有する通信端末に関する。
【背景技術】
【０００２】
近年、携帯電話無線機やＰＨＳ（Ｐｅｒｓｏｎａｌ  ｈａｎｄｙｐｈｏｎｅ  Ｓｙｓｔ
ｅｍ）などの移動無線機が急速に普及している。この種の移動無線機においては、電源を
切る、着信時の着信報知を音ではなくバイブレータで行う、着信時の通信相手からの送出
される音声メッセージを録音する留守番電話機能を設定しておく、などの各種の設定をす
ることができる。これらの設定をすることにより、移動無線機の所有者が自分の状態、状
況に応じて着信にどの様に対応するかを移動無線機において選択決定できる。
【発明の概要】
【発明が解決しようとする課題】
【０００３】
上述した移動無線機では、自分の状態、状況に応じて着信にどの様に対応するかを移動
無線機において選択決定できる。
【０００４】
しかし、見方を変えて電話をかける側、つまり、発信者からの視点に立つと、発信を行
って初めて通信相手の状態がわかり、発信を行う前に通信相手の状態を判断することはで
きない。
【０００５】
つまり、通信相手の都合の悪いとき、たとえば、会議中に、発信者が緊急に伝えたい内
容ではない発信を行った場合、着信側が音による着信報知を行う状態に設定していると、
会議中の場違いの着信に応答してしまうという問題点があった。さらに、予め会議中に先
立ち、着信を受け付けない設定、たとえば、電源を切っておく設定をしておくと、まった
く着信を受け付けることができず、緊急時の連絡がとれないという問題点があった。
【０００６】
本発明は、上記事情に着目してなされたもので、その目的とするところは、発信前に通
信相手の状態を把握してから発信を行うことができる通信端末を提供することにある。
【課題を解決するための手段】
【０００７】
上記目的を達成するために、本発明による通信端末は、通信相手と情報を送受信する通
信手段と、自端末の状態に関する情報を記憶する記憶手段と、自端末の状態に関する情報
と関連付けて自端末の状態に関する情報を変更する時刻を設定し、設定された時刻になれ
ば、前記記憶手段に記憶された自端末の状態に関する情報を変更する状態設定制御手段と
、前記記憶手段に記憶された自端末の状態に関する情報が変更された場合に、前記通信手
段によって自端末の状態に関する情報が変更されたことを通信相手に通知する通知制御手
段とを有することを特徴としている。
【発明の効果】
【０００８】
本発明では、発信を行う前に、予め通知され、記憶してある情報から相手の状態を把握す
ることができるため、発信側で通信を行いたい相手の状態に応じて電話をかけるタイミン
グを選べるようになる。また、自動的に自分の状態を相手に伝えることができる。
【図面の簡単な説明】
【０００９】
【図１】本発明の一実施形態に係わる移動無線機ＭＴを示すブロック構成図である。
【図２】本発明の一実施形態に係わる移動無線機ＭＴが具備するＢＢ２３のブロック構成図である。
【図３】本発明の一実施形態に係わる移動無線機ＭＴにおける状態設定時の画面遷移図である。
【図４】移動無線機ＭＴと端末Ａ、端末Ｂおよび端末Ｃとのシーケンス図である。
【図５】本発明の一実施形態に係わる移動無線機ＭＴにおける電話帳テーブルである。
【図６】本発明の一実施形態に係わる移動無線機ＭＴにおける状態遷移図である。
【図７】本発明の一実施形態に係わる移動無線機ＭＴの状態取得要求時における状態遷移図である。
【図８】本発明の一実施形態に係わる移動無線機ＭＴにおける状態遷移図である。
【図９】本発明の一実施形態に係わる移動無線機ＭＴにおける状態設定時の画面遷移図である。
【発明を実施するための形態】
【００１０】
（第１の実施形態）
図１は本発明の移動無線機ＭＴの構成図を示す。
【００１１】
無線部１は、アンテナ（ＡＮＴ）１１、デュプレクサ（ＤＰＸ）１２、送信部（ＴＸ）
１３、受信部（ＲＸ）１４、シンセサイザ（ＳＹＮ）１５から構成されている。移動無線
機ＭＴは、この無線部１を介して無線信号の送受信を行う。アンテナ１１を介して受信し
た信号は、デュプレクサ１２、受信部１４を介して処理される。アンテナ１１と接続され
る無線回線に送信される信号は、送信部１３、デュプレクサ１２を介して送信される。
【００１２】
制御部２は、ＲＯＭ２１、ＲＡＭ２２、ベースバンド部（ＢＢ）２３から構成されてい
る。ＲＯＭ２１は、端末の動作を制御する各種プログラムが記憶されている。ＢＢ２３は
移動無線機全体の制御を司る制御部である。
【００１３】
入出力部３は、カメラ（ＣＡＭ）３１、表示駆動部（ＤＲＶ）３２、表示部（ＬＣＤ）
３３、マイク（ＭＩＣ）３４、スピーカ（ＳＰＥＡＫＥＲ）３５、キー入力部（ＫＥＹ）
３６、バイブレータ（ＶＩＢ）３７、サウンダ（ＳＯＵＮＤＥＲ）３８、無線接続ユニッ
ト３９から構成されている。
【００１４】
ユーザがＫＥＹ３６から入力した各種データをＬＣＤ３３が表示し、ユーザがＭＩＣ３
４から入力した音声や、無線部１を介して受信した相手の音声をＳＰＥＡＫＥＲ３５から
出力したり、相手からの着信を報知するための着信報知をＳＯＵＮＤＥＲ３８やＶＩＢ３
７で行ったり、ユーザが、ＣＡＭ３１から映像を入力したりする。無線接続ユニット３９
は、たとえば、Ｂｌｕｅｔｏｏｔｈなどの無線接続通信を用いてＰＣなどの外部機器（図
示せず）に接続するユニットである。尚、本実施の形態では無線接続通信はＢｌｕｅｔｏ
ｏｔｈを挙げたが、これに限定されるものではなく、たとえば、赤外線通信手段であるＩ
ｒＤＡを用いてもよい。
【００１５】
電源部４は、電源（Ｐ．Ｓ）４１、充電回路（ＣＨＧ）４２、電池（ＢＡＴ）４３から
構成されている。電源部４は、移動無線機ＭＴへの電源供給を行っている。
【００１６】
尚、図１においては移動無線機ＭＴが一般的に具備する構成を示したが、カメラ（ＣＡ
Ｍ）３１、バイブレータ（ＶＩＢ）３７、無線通信ユニット３９は構成要件としなくても
良い。
【００１７】
次に、本実施形態の移動無線機ＭＴにおけるＢＢ２１の構成について説明する。
【００１８】
ＢＢ２１は、図２に示すように状態登録手段２１１と、状態通知手段２１２と、状態検
索手段２１３とを具備している。これらの手段はすべてＲＡＭ２２やＲＯＭ２３に記憶さ
れるプログラムにより実行されることになる。
【００１９】
状態登録手段２１１は、移動無線機ＭＴの所有者によって設定される所有者の状態を示
す状態情報がＫＥＹ３６から入力されると、ＲＡＭ２２に状態情報が記憶される。
【００２０】
また、この状態登録手段２１１は、他の通信端末から通知のあった他の通信端末の状態
を示す状態情報を、たとえば、ＲＡＭ２２が具備する電話帳に状態情報として登録する動
作を行っている。この場合は予め他の通信端末の電話番号が電話帳に記憶されているもの
とする。ただし、電話帳に事前に登録されていない相手からの状態情報の通知があった場
合は、この状態登録手段２１１が状態情報の登録を拒否してもよいし、自動的に電話帳に
登録してもよい。
【００２１】
尚、本実施の形態の移動無線機ＭＴは、状態登録手段２１１が、他の通信端末に対して
、状態情報の取得要求を行っている。
【００２２】
状態通知手段２１２は、ＲＡＭ２２に記憶される移動無線機ＭＴの所有者の状態を示す
状態情報を、無線部１を介して所定の通信相手に通知する。
【００２３】
この通知のタイミングは、移動無線機ＭＴが一方的に通知してもよいし、例えば、通信
相手から状態情報の取得要求があったときに通知してもよい。
【００２４】
つまり、状態登録手段２１１が自機に関する状態情報を事前に登録し、状態通知手段２
１２が所定の通信相手にこの状態情報を通知し、状態登録手段２１１は、所定の通信相手
から通知されたその通信相手の状態情報をＲＡＭ２２に記憶しておくことになる。
【００２５】
状態検索手段２１３は、他の通信端末の状態を示す状態情報から、特定の状態情報の検
索動作を実行している。
【００２６】
次に、図３を用いて移動無線機ＭＴにおける所有者の状態情報の登録手順について説明
する。図３は、移動無線機ＭＴのＬＣＤ３３に表示される画面の画面遷移図を示している
。
【００２７】
待ち受け状態の表示画面おいて（ステップ３０１）において、ＫＥＹ３６に設けられた
状態設定キー（図示せず）の操作により状態情報を設定する指示が行われると、状態設定
を行うメニュー画面がＬＣＤ３３に表示される（ステップ３０２）。状態設定を行うメニ
ュー画面から待ち受け状態の表示画面へはＫＥＹ３６に設けられているクリアキーで戻る
ことができる。
【００２８】
尚、この実施の形態においては、ＫＥＹ３６に状態設定キーが設けられているとして説
明したが、このような専用のキーではなく、単にＫＥＹ３６の操作の組み合わせにより、
状態情報を設定する指示を行ってもよい。
【００２９】
状態設定を行うメニュー画面がＬＣＤ３３に表示されている状態でメニューの「５．自
分で入力」が選択されると、移動無線機ＭＴの状態情報を移動無線機ＭＴの所有者が所定
の情報を入力する画面に移行する（ステップ３０３）。
【００３０】
ＫＥＹ３６の操作により所定の情報が入力されると、ＬＣＤ３３に入力された情報が表
示される（ステップ３０４）。
【００３１】
さらに、入力された状態情報が解除する設定解除時刻を設定するか否かの選択を行い（
ステップ３０５）、設定する場合は、設定解除時刻を入力する画面がＬＣＤ３３に表示さ
れ、設定解除時刻の入力を行う（ステップ３０６）。
【００３２】
設定解除時刻が入力されると、状態情報の入力が終了し、その旨をＬＣＤ３３に表示す
る（ステップ３０７）。尚、この状態で移動無線機ＭＴの状態情報が設定されることにな
り、ＲＡＭ２２に状態情報が記憶される。
【００３３】
ＫＥＹ３６に設けられる決定キーにより状態情報入力が終了すると、設定された状態情
報がＬＣＤ３３に表示されるとともに待ち受け状態に戻る（ステップ３０８）。
【００３４】
状態設定を行うメニュー画面がＬＣＤ３３に表示されている状態で（ステップ３０２）
、メニュー「１．会議中」が選択されると、移動無線機ＭＴの状態情報を移動無線機ＭＴ
の所有者が設定解除時刻を入力する画面に移行する（ステップ３０９）。
【００３５】
ＫＥＹ３６の操作により、状態情報として「会議中」が選択され、設定解除時刻を入力
しない場合、その旨がＬＣＤ３３に表示される（ステップ３１０）。
【００３６】
ＫＥＹ３６に設けられる決定キーにより状態情報入力が終了すると、設定された状態情
報がＬＣＤ３３に表示されるとともに待ち受け状態に戻る（ステップ３１１）。
【００３７】
この移動無線機ＭＴの状態情報として入力される情報は、通信相手に通知したい、自分
の状態を示す情報である。たとえば、ステップ３０２のＬＣＤ３３表示画面に示したよう
に「会議中」、「移動中」、「睡眠中」、「ひま」などの自分の状態を示す情報を予め移
動無線機ＭＴが記憶しておき、それらをメニュー形式で表示し、移動無線機ＭＴの所有者
が選択する形式であればよい。また、上述したように自分でその状態に関する情報を入力
させることも可能である。さらに、自分の状態を示す情報に選択肢としては、「電話ＯＫ
」、「メールのみＯＫ」、「今は〜にいます」などの選択肢も考えられる。
【００３８】
次に、移動無線機ＭＴで設定した状態情報を他の通信相手に通知する方法、及び、他の
移動無線機において設定された状態情報を移動無線機ＭＴが受信する時のシーケンスにつ
いて、図４を用いて説明する。
【００３９】
図４において、端末Ａ、端末Ｂ、端末Ｃは、移動無線機ＭＴと同様な状態情報を設定で
き、この状態情報を送受信でいる機能を具備する端末である。（１）状態通知をするとき
図４を用いて説明したように、移動無線機ＭＴにおいて設定される状態情報を端末Ａと
端末Ｂに通知する動作を示している（ステップ４０１）。状態を通知するタイミングとし
ては、移動無線機ＭＴの電源をＯＮにしたとき、状態情報の変更を指示したときが例とし
て挙げられる。また、定期的に状態通知を行ってもよい。
【００４０】
移動無線機ＭＴから状態情報の通知された端末Ａ及び端末Ｂは、それぞれの記憶手段に
通知された移動無線機ＭＴの状態情報を記憶する。尚、移動無線機ＭＴから状態情報の通
知された端末Ａは、通知された状態情報をディスプレイなどの表示手段で表示する。また
、端末Ｂは、通知された状態情報をディスプレイなどの表示手段で表示しない。（２）状
態取得要求をするとき  移動無線機ＭＴが端末Ａで登録されている状態情報を取得する場
合、まず、状態取得要求をおこなう（ステップ４０２）。
【００４１】
端末Ａは、状態取得要求のあった移動無線機ＭＴが状態情報を通知する相手か否かを、
たとえば、移動無線機ＭＴの発信者番号が自端末の電話帳に登録されている電話番号か否
かから判断する（ステップ４０３）。
【００４２】
移動無線機ＭＴの発信者番号が電話番号に登録されており、状態情報を通知すべき相手
であることを確認すると、端末Aは、自端末で設定されている状態情報を移動無線機ＭＴ
に通知し（ステップ４０４）、移動無線機ＭＴは、端末Ａから通知された状態情報をＬＣ
Ｄ３３などに表示する（ステップ４０５）。
【００４３】
引き続き、移動無線機ＭＴは、端末Ｂで登録されている状態情報を取得する場合、まず
、端末Ｂに対して状態取得要求をおこなう（ステップ４０６）。
【００４４】
図４に示した例では、端末Ｂは、移動無線機ＭＴの発信者番号が自端末の電話帳に登録
されていない電話番号であり、状態情報の通知を拒否する（ステップ４０７）。
【００４５】
移動無線機ＭＴが他の端末、たとえば、端末Ａまたは端末Ｂの状態情報を取得する状態
取得要求を行うタイミングとしては、移動無線機ＭＴの電源をＯＮにしたとき、自機の状
態情報の変更をしたときが例として挙げられる。また、定期的に状態取得要求を行っても
よい。他の端末から状態情報の通知された移動無線機ＭＴは、ＲＡＭ２２に通知された移
動無線機の状態情報を記憶する。たとえば、図５に示すように、ＲＡＭ２２に記憶される
電話帳テーブルに名前、メールアドレス（ｍａｉｌ）、グループ種別（ｇｒｏｕｐ）に対
応づけて状態情報（状態）を記憶させる。（３）状態通知をされたとき  端末Ａ及び端末
Ｃにおいて、状態情報を移動無線機ＭＴに対して通知する設定がされているときは、それ
ぞれの端末から状態情報の通知が行われる（ステップ４０８、４０９）。
【００４６】
移動無線機ＭＴにおいて、端末Ａの電話番号を電話帳に登録しており、端末Ｃの電話番
号が電話帳に登録されていない場合、端末Ａから通知される状態情報をＬＣＤ３３に表示
し（ステップ４１０）、端末Ｃから通知される状態情報をＬＣＤ３３（ステップ４１１）
に表示しない。尚、移動無線機ＭＴの電話帳に端末Ｃの電話番号が登録されていない場合
に登録されている場合と同様に表示することも可能である。（４）状態通知要求をされた
とき  移動無線機ＭＴにおいて、端末Ａの電話番号は電話帳に登録されている相手、端末
Ｃは、電話帳に登録されていない相手であることを前提とする。
【００４７】
端末Ａから状態情報の通知要求を受けたとき（ステップ４１２）、移動無線機ＭＴは、
端末Ａの電話番号が電話帳に登録されている相手であることを確認すると（ステップ４１
３）、状態情報を端末Ａに対して通知する（ステップ４１４）。
【００４８】
また、端末Ｂから状態情報の通知要求を受けたとき（ステップ４１５）、移動無線機Ｍ
Ｔは、端末Ａの電話番号が電話帳に登録されていない相手であることを確認すると、状態
情報を端末Ｂに対して通知しない（ステップ４１６）。
【００４９】
上述した（１）から（４）の移動無線機ＭＴの動作シーケンスをまとめて図６に示す。
図５における（１）状態通知をするときの動作は、図６のシーケンスＡに該当する。図５
における（２）状態取得要求をするときの動作は、図６のシーケンスＢに該当する。図５
における（３）状態通知をされたときの動作は、図６のシーケンスＣに該当する。図５に
おける（４）状態通知要求をされたときの動作は、図６のシーケンスＤに該当する。それ
ぞれの動作説明は図５で説明したものと同様であるため省略する。
【００５０】
尚、上述した本実施の形態における状態情報の設定方法としては、ある時間帯における
状態を予め定めておいたり、マナーモードの時の状態を予め定めるなど、１度所定の条件
下での制御方法を登録しておけば自動的に状態情報を登録するようにし、毎回状態情報の
登録を行わないことも可能である。
【００５１】
また、上述した本実施の形態では、ＲＡＭ２２の電話帳と状態情報をリンクさせるもの
として説明したが、電話帳に限定されず、状態情報通知専用のリストをＲＡＭに設定し、
このリストに状態情報を登録することも可能である。
【００５２】
上述した実施の形態では、移動無線機ＭＴの状態情報が１種類であるものとして説明し
たが、たとえば、状態情報の通知を行う通信相手をグルーピングしておき、グループごと
に通知する状態情報を変えることも可能である。
【００５３】
つまり、移動無線機ＭＴは、図７に示すように、他の端末から移動無線機ＭＴに対して
状態通知要求が来た場合（ステップ７０１）、通信相手である他の端末の発信者番号、つ
まり、電話番号が電話帳に記憶されているか否かを確認し（ステップ７０２）、電話帳に
電話番号が記憶されている場合、さらに、通信相手が電話帳においてグループ１、グルー
プ２，グループ３にどのグループにグルーピングされているかを識別する。グループ１で
ある場合は（ステップ７０３）、状態情報１を状態情報として通知し（ステップ７０５）
、グループ２である場合（ステップ７０４）、状態情報２を状態情報として通知し（ステ
ップ７０６）、グループ１でもグループ２出ないと判断されるとグループ３であると判断
され、状態情報３を状態情報として通知する（ステップ７０７）。尚、つまり、電話番号
が電話帳に記憶されていない場合は（ステップ７０２）は状態情報の通知を拒否する。
【００５４】
また、上述した実施例においては、移動無線機ＭＴでは、自端末で設定した状態情報を
用いて、自機で利用する通信手段を選択することも可能である。たとえば、図８に示すよ
うに着信を受け（ステップ８０１）、自機における状態情報が、電話を受けられることを
意味する「電話ＯＫ」が登録されていると、着信応答可能とする（ステップ８０３）。ま
た、着信転送を行うことを意味する「転送指定」が状態情報として登録されていると（ス
テップ８０４）、着信転送処理を実行する（ステップ８０５）。また、いずれの条件にも
当てはまらない場合は、留守電に接続し、相手の音声を録音する（ステップ８０６）。
【００５５】
この例においても、あるグループで登録されている通信相手からの着信には応答するが
、あるグループの人からの着信は留守電につなぐ、またあるグループの人から着信は、着
信転送を行うようにすることも可能である。
【００５６】
上述した移動無線機ＭＴは、通信相手の状態情報を取得し、ＲＡＭ２２の電話帳に記憶
しているため、取得した状態情報が特定の状態である通信相手を検索することも可能であ
る。
【００５７】
つまり、図９に示すように、電話帳から名前と状態情報をピックアップしてＬＣＤ３３
に表示させ（ステップ９０１）、通信相手の状態を確認して発信を行うことが可能である
。たとえば、Ｄさんについていえば会議中でも移動中でも睡眠中でもない状態であること
がわかり（ステップ９０１）、Ｄさんの名前が反転された状態でＫＥＹ３６に設けられら
れている発信キー（図示せず）を操作すると、Ｄさんに発信可能となる（ステップ９０２
）。尚、ＫＥＹ３６に設けられているキャンセルキー（図示せず）を操作することで発信
はキャンセルできる。
【００５８】
電話帳から名前と状態情報をピックアップしてＬＣＤ３３に表示させた状態で（ステッ
プ９０１）、ＫＥＹ３６に設けられている設定キー（図示せず）を操作することにより、
電話帳表示方法設定メニューがＬＣＤ３３に表示され（ステップ９０３）、たとえば、メ
ニューの「２．状態順」を選択すると、名前の該当する通信相手の通信状態がＬＣＤ３３
に表示される（ステップ９０４）。ここで、移動無線端末ＭＴの操作者は、「Ｚさん」が
会議中でもなく、移動中でもなく、睡眠中でもない、電話を受け付ける状態「ひま」であ
ることが知ることができ、ＫＥＹ３６に設けられる発信キー（図示せず）を操作すること
により、Ｚさんに発信することができる（ステップ９０５）。
【００５９】
以上述べたように移動無線機ＭＴは、通信相手の状態に関する状態情報を予め把握する
ことができるため、発信前に通信相手の状態を確認してから発信を行うことができ、通信
相手の都合が悪いときに発信を行うことがなくなり、さらには、相手に都合に応じて発信
を行うことができるという効果が得られる。以上で述べた実施の形態における状態情報の
取得手段や送信手段としては、現在移動無線機のサービスとして行われているテキストベ
ースのメッセージの端末間での交換方法であるショートメッセージが挙げられるが、これ
に限定されるものではなく、パケット、無線の呼制御Ｌａｙｅｒ３信号、ＰＢトーン信号
などがその他の手段として挙げられる。これらの手段を組み合わせてもよい。現状の望ま
しい手段としては、ショートメッセージやパケット、無線の呼制御Ｌａｙｅｒ３信号であ
る。
【００６０】
尚、本発明の移動無線機ＭＴが採用する無線通信方式は一切限定されるものではない。
つまり、現在、携帯電話無線機およびＰＨＳで運用されている時分割多重アクセス方式：
ＴＤＭＡ（TIME DIVISION MULTIPLE ACCESS）方式や、符号分割多重アクセス方式：ＣＤ
ＭＡ（CODE DIVISION MULTIPLE ACCESS）方式や、アナログ携帯電話で採用されている周
波数分割多重アクセス方式：ＦＤＭＡ（FREQUENCY DIVISION MULTIPLE ACCESS）方式であ
ってもよい。また、今後運用される次世代の携帯電話システムで採用される無線通信方式
や、その他の無線通信方式であってもよい。
【００６１】
また、本発明の実施の形態では、移動無線機を例に挙げて説明したが、通信機能を具備
すれば、有線回線に接続される有線通信端末にも適用でき、移動無線機に限定されるもの
ではない。
【符号の説明】
【００６２】
１・・・無線部１、１１・・・アンテナ（ＡＮＴ）、１２・・・デュプレクサ（ＤＰＸ
）、１３・・・送信部（ＴＸ）、１４・・・受信部（ＲＸ）、１５・・・シンセサイザ（
ＳＹＮ）、２・・・制御部、２１・・・ＲＯＭ、２２・・・ＲＡＭ、２３・・・ベースバ
ンド部（ＢＢ）、３・・・入出力部、３１・・・カメラ（ＣＡＭ）、３２・・・表示駆動
部（ＤＲＶ）、３２・・・表示部（ＬＣＤ）、３４・・・マイク（ＭＩＣ）、３５・・・
スピーカ（ＳＰＥＡＫＥＲ）、３６・・・キー入力部（ＫＥＹ）、３７・・・バイブレー
タ（ＶＩＢ）、３８・・・サウンダ（ＳＯＵＮＤＥＲ）、３９・・・無線通信ユニット、
４・・・電源部、４１・・・電源（Ｐ．Ｓ）、４２・・・充電回路（ＣＨＧ）、４３・・
・電池（ＢＡＴ）
【図１】
2010045817.tif 000003
【図２】
2010045817.tif 000004
【図３】
2010045817.tif 000005
【図４】
2010045817.tif 000006
【図５】
2010045817.tif 000007
【図６】
2010045817.tif 000008
【図７】
2010045817.tif 000009
【図８】
2010045817.tif 000010
【図９】
2010045817.tif 000011